(57)【要約】【課題】  短時間に警報が発生・復帰した被監視対象部が多数あると、監視作業中のオペレーターによる注視にも限界がある。また、履歴一覧画面から都度、該当する被監視対象部について検索を行う手間がかかってしまっていた。さらに、ビル施設によってはオペレーターが不在となる時間帯に、短期間の警報の発生・復帰があった場合に、認識し難いという問題があった。【解決手段】  監視制御システムの履歴データを自動的に検索し、短期間の警報発生と復帰の現象を運用管理上注視すべき項目として自動登録を行う。また、また、登録した項目の処置の内容や処置を行なう期限の登録管理を行う。【選択図】図１
2011204029.tif 000002
【特許請求の範囲】
【請求項１】
被監視設備からの信号の状態変化を検出する検出手段と、
検出された前記状態変化を記憶する記憶手段と、
前記状態変化履歴記憶手段に記憶された前記状態変化のうち、警報発生の基準である閾値を上回った後、所定時間内に前記閾値を下回った準故障データを収集する収集手段と、
複数の前記準故障データに処理期限を設定する設定手段と、
前記処理期限を経過した前記準故障データが発生した場合に、外部に通知を行う通知手段と、
を備えることを特徴とする運用管理支援装置。
【発明の詳細な説明】
【技術分野】
【０００１】
本発明は、ビル等の施設の保守・点検のための監視制御システムにおける運用管理支援装置に関する。
【背景技術】
【０００２】
従来から、ビル等の監視制御システムでは、被監視対象部からの信号の状態変化を検出し、監視画面表示装置や警報鳴動装置を通じてオペレーターに対して設備の状態の表示や警報の通知を行っている。（例えば、特許文献１参照）。
【０００３】
また、監視制御システムでは、被監視対象部からの信号の状態変化を検出し、状態変化履歴データとして記憶させ、オペレーターがこれらの履歴を呼び出して、監視内容の確認をおこなっている。
【０００４】
ここで、特に注視すべきなのは、被監視対象部からの計測値の上下値異常や、センサー異常、機器異常などの警報が発生した後、短時間で警報が復帰した場合である。短時間で警報が復帰した場合、被監視対象部の設備や機器が一時的に不調に陥ったものと考えられ、このような現象は故障の前兆として当該被監視対象部の状態を注視し、経過観察する必要がある。
【０００５】
従来の監視制御システムでは、オペレーターが監視中に短期間の警報が発せられた被監視対象部の名称等について、メモをとるか履歴一覧画面のスクリーンをそのままコピーして記録を残しておき、以降モニター監視作業中に注視、経過観察する。
【先行技術文献】
【特許文献】
【０００６】
【特許文献１】特開２００７−２５１６９７号公報
【発明の概要】
【発明が解決しようとする課題】
【０００７】
しかしながら、短時間に警報が発生・復帰した被監視対象部が多数あると、監視作業中のオペレーターによる注視にも限界がある。また、履歴一覧画面から都度、該当する被監視対象部について検索を行う手間がかかってしまっていた。さらに、ビル施設によってはオペレーターが不在となる時間帯に、短期間の警報の発生・復帰があった場合に、認識し難いという問題があった。
【０００８】
本発明は、上記の事情に鑑みてなされたもので、監視制御システムの履歴データを自動的に検索し、短期間の警報発生と復帰の現象のオペレーターの注視、経過観察作業を支援する運用管理支援装置を提供することを目的とする。
【課題を解決するための手段】
【０００９】
上記目的を達成するために、本発明の運用管理支援装置は、
被監視設備からの信号の状態変化を検出する検出手段と、
検出された前記状態変化を記憶する記憶手段と、
前記状態変化履歴記憶手段に記憶された前記状態変化のうち、警報発生の基準である閾値を上回った後、所定時間内に前記閾値を下回った準故障データを収集する収集手段と、
複数の前記準故障データに処理期限を設定する設定手段と、
前記処理期限を経過した前記準故障データが発生した場合に、外部に通知を行う通知手段と、
を備えることを特徴とする。
【発明の効果】
【００１０】
本発明によれば、オペレーターの監視作業を簡易化し、また複数のオペレーター間の情報の共有化により、監視制御を行っている施設の保守・点検の運営作業の効率化が可能となる。
【図面の簡単な説明】
【００１１】
【図１】本発明の実施形態に係る運用管理支援装置を含む監視制御システムの構成を示す図。
【図２】本発明の状態変化履歴データの構成例を示す図。
【図３】本発明の運用管理データの構成例示す図。
【図４】本発明の実施形態に係る運用管理支援装置の動作を示すフローチャート。
【発明を実施するための形態】
【００１２】
以下、本発明の実施態様について図１乃至図３を参照しながら説明する。
【００１３】
（第１の実施形態）
図１は、本発明の実施形態に係る運用管理支援装置を含む監視制御システムの構成を示す図である。
【００１４】
図２は、本発明の状態変化履歴データの構成例を示す図である。
【００１５】
図３は、本発明の運用管理データの構成例を示す図である。
【００１６】
本実施形態の監視制御システム１は、図１に示すように、状態変化検出手段３と、警報通知手段４と、状態変化履歴データベース７と、履歴表示設定手段８と、運用管理支援装置１６と、を含む構成である。また、図１に示すように、監視制御システム１の外部に被監視対象部２と、警報鳴動装置５と、モニター６と、操作入力装置１３が接続されている。
【００１７】
被監視対象部２は、ビル等の施設に設置されている空調器や、変電設備や、証明等の監視の対象である。これらの設備には、図示しない設備状態が正常か異常かを検知する各種センサ等が備え付けられている。これらのセンサにより設備から異常を検出した場合には、異常信号を、正常な場合には正常を示す正常信号を状態変化検出手段３へ送出する。以下、異常信号と正常信号を合わせて言う場合は、入力信号という。本実施形態では、被監視対象部２は一つのみ記載しているが、複数あってもよい。
【００１８】
状態変化検出手段３は、被監視対象部２から送られてきた異常信号および正常信号を検出する。異常信号を検出した際には、警報通知手段４に対して警報を発報させる要求を行う。また、被監視設備２から送られてきた正常信号から異常信号へ、異常信号から正常信号への入力信号の状態変化を状態変化履歴データベース７へ送出する。
【００１９】
警報通知手段４は、警報鳴動装置５の警報の発報およびモニター６への警報の表示を管理する。状態変化検出手段３または運用管理項目警報設定手段１５から警報を発報要求が送られてきた場合に、警報鳴動装置５に対して警報を発せさせる指令を送り、モニター６に異常および警報が発生したことを表示する旨の指令を送る。
【００２０】
警報鳴動装置５は、警報通知手段４から警報を発せる旨の指令があった場合に、監視制御システム１のオペレーター等に対して被監視対象部２に異常が発生したことを音声や音により、異常を知らせる機器である。例えば、スピーカーやサイレンである。
【００２１】
モニター６は、警報管理手段４から送られてくる被監視対象２の異常および警報が発生したことを表示する表示機器である。また、オペレーターから履歴表示設定手段８を介して読み出された、状態変化履歴データベース７に記憶された状態変化履歴の一覧を表示する。さらに、運用管理項目表示設定手段１２から送られてきた運用管理項目データベース１０に記憶されている注目すべき情報変化履歴を表示する。
【００２２】
状態変化履歴データベース７は、各種データを記憶させることができるデータベースであり、各種記憶媒体である。例えば、磁器記憶ディスク、半導体メモリである。本実施形態では、状態変化検出手段３が検出した状態変化の履歴を記憶させる。また、記憶した状態変化履歴を、要求に応じて履歴表示設定手段８、運用管理項目自動設定手段９へ送出する。状態変化履歴データベース７に記憶される状態変化データの構成例としては、図２に示すように、履歴ＩＤ２０、ポイントＩＤ２１とポイント名称２２、事象２３、ステータス２４、履歴時刻２５、ポイント種別２６等の表示項目を含む構成である。
【００２３】
履歴ＩＤ２０は、状態変化の履歴を識別するためのＩＤを表示する項目である。
【００２４】
ポイントＩＤ２１は、監視を行う信号のポイントの識別ＩＤを表示する項目である。
【００２５】
ポイント名称２２は、上記ポイントの名称を表示する項目である。
【００２６】
事象２３は、監視を行うポイントで発生した状態変化や警報、操作入力等の事象を表示する項目である。
【００２７】
ステータス２４は、信号のＯＮ／ＯＦＦや警報の発生・復帰などの発生事象のステータスを表示する項目である。
【００２８】
履歴時刻２５は、警報等の事象が発生した時刻を表示する項目である。
【００２９】
ポイント種別２６は、電気設備や空調設備等の種別を表示する項目である。
【００３０】
履歴表示設定手段８は、オペレーターから履歴表示の表示指令を操作入力装置１３から送られてくると、記憶された状態変化履歴データ７を参照し、モニター６へ送出する。履歴表示設定手段は、基本的には履歴時刻２５を参照しながら、時系列順に状態変化等の記録を表示する。履歴時刻に限らず、信号のポイントＩＤ２１やポイント名称２２、電気設備、空調設備などのポイント種別２６の分類等を参照することによりオペレーターが必要とする履歴の検索を行うことができる。
【００３１】
操作入力装置１３は、外部ＩＦ（インターフェース）であり、オペレーターによる指示等を入力する入力装置である。例えば、キーボード等である。操作入力装置を介してオペレーターに履歴表示設定手段８へ履歴表示をモニター６に表示させる表示指令を入力させる。また、オペレーターにより運用管理上注視すべきと判断した項目を運用管理項目表示設定手段１２へ送信する。さらに、注視すべきと判断された項目に対して、図３に示すような各項目について処置を行う期限や、処置の内容についてのコメント、処置の状態値等を設定することができる。設定された内容は運用管理項目処置設定手段１４を介して運用管理項目データベース１０へ記憶される。
【００３２】
運用管理支援装置１６は、運用管理項目自動登録手段９と、運用管理項目データベース１０と、運用管理項目自動削除手段１１、運用管理項目表示設定手段１２と、運用管理項目処置設定手段１４と、運用管理項目警報検出手段１５と、運用管理支援装置部１６を含む構成である。
【００３３】
運用管理項目自動登録手段９は、状態変化履歴データ７に記憶された状態変化履歴を参照し、被監視対象部２で異常が発生し、短時間で正常状態に復帰した場合等の監視制御システムの運用管理上注視すべき項目を抽出する。この抽出した項目を運用管理項目データベース１０へ送出する。
【００３４】
具体的には、運用管理項目自動登録手段９は、状態変化履歴データベース７を一定周期ごとに参照を行う。この際、前回参照を行った履歴データより後に登録された履歴データを全件取得するようにする。
【００３５】
運用管理項目データベース１０は、短時間の間に異常状態から正常状態へ移行した被監視対象部２の注視すべき状態変化履歴を記憶させる。この注視すべき状態変化履歴は状態変化履歴データベース７に記憶された項目のうち、運用管理項目自動登録手段９により抽出された項目である。
【００３６】
この注視すべき状態変化履歴を、操作入力装置１３から運用管理項目表示設定手段１２を介して送られてくる要求により送出する。また、運用管理上注視すべきとして運用管理項目表示設定手段１２を介して注視すべきと設定されたにもかかわらず、運用管理項目処置設定手段１４により定められた処置期間を過ぎても処置がなされていない項目について、運用管理項目警報検出手段１５により抽出される。運用管理項目データの構成例としては、図３に示すように、運用管理項目ＩＤ３０、ポイントＩＤ３１、事象３２、履歴ＩＤ３３、登録状態３４、管理状態３５、処置状態３６、処置内容コメント３７、処置期限３８等の項目を含む構成である。
【００３７】
運用管理項目ＩＤ３０は、運用管理上注視すべき情報の識別ＩＤを表示する項目である。
【００３８】
ポイントＩＤ３１は、警報発生後に短時間で警報が復帰したポイントのＩＤを表示する項目である。
【００３９】
事象３２は、送られてきた観測信号の計測値の上下限異常警報や機器故障警報等の警報の種類を表示する項目である。
【００４０】
履歴ＩＤ３３は、警報が発生した後、短時間で復帰した場合の履歴データのＩＤの組が登録され、その後に同じ状態変化の警報が発生した場合に順次登録された履歴ＩＤを表示する項目である。
【００４１】
登録状態３４は、状態変化履歴データベース７に記憶された状態変化履歴データから警報の発生の履歴を参照した際に、当該履歴を運用管理項目として登録を行うか否かを判断するために一時的に保存した項目を表示する項目である。
【００４２】
管理状態３５は、自動収集された運用管理項目の中からオペレータに運用上管理が必要なものとして選択した項目を表示する項目である。
【００４３】
処置状態３６、処置内容コメント３７、処置期限３８は、オペレーターが操作入力装置１３から入力した運用管理上注目すべき対象の処置の状況や、コメント、期限を表示する項目である。
【００４４】
運用管理項目自動削除手段１１は、オペレーターによって管理が必要と判断されない状態変化履歴を削除する。具体的には、運用管理項目設定手段１２により設定されていない運用管理項目データベース１０に記憶された該当する状態変化履歴を削除する。
【００４５】
運用管理項目表示設定手段１２は、運用管理項目データベース１０に記憶される状態変化履歴を参照し、モニター６へ送出する。また、操作入力装置１３を介してオペレーターにより運用管理上注視すべきとして選択された項目を、設定（登録）する。
【００４６】
運用管理項目処置設定手段１４は、運用管理項目データベース１０に記憶される運用管理上注視すべきとして選択された項目に操作入力装置１３によって入力された付加情報を設定する。例えば、図３に示すような各項目について処置を行う期限や、処置の内容についてのコメント、処置の状態値を、注視すべきと判断された項目に対して設定する。
【００４７】
運用管理項目警報設定手段１５は、運用管理項目データベース１０に記憶された項目であって、運用管理上注視すべきとして運用管理項目表示設定手段１２により注視すべきと設定されたにもかかわらず、運用管理項目処置設定手段１４により定められた処置期間を過ぎても処置がなされていない項目または処理の期限が迫った項目について抽出する。また、抽出後、警報通知手段４に対して警報の発報要求を行う。
【００４８】
次に、本実施形態の動作について図４を参照しながら説明する。
【００４９】
図４は、本発明の実施形態に係る運用管理支援装置の動作を示すフローチャートである。
【００５０】
状態変化検出手段３は、定期的にビル等の被監視対象部２に設置されたセンサから送られてきた異常信号および正常信号を検出する。異常信号を検出した際には、警報通知手段４に対して警報を発報させる要求を行う。また、被監視設備２から送られてきた正常信号から異常信号入力信号へ、異常信号から正常信号へのこれら入力信号の状態変化を状態変化履歴データベース７へ送出する（ステップＳ１０１）。
【００５１】
状態変化履歴データベース７は、状態変化検出手段３が検出した状態変化の履歴を記憶し、記憶した状態変化履歴を、要求に応じて履歴表示設定手段８、運用管理項目自動設定手段９へ送出する。状態変化履歴データベース７に記憶される状態変化データの構成例としては、図２に示すように、履歴ＩＤ２０、ポイントＩＤ２１とポイント名称２２、事象２３、ステータス２４、履歴時刻２５、ポイント種別２６等の表示項目を含む構成である。
【００５２】
運用管理項目自動登録手段９は、状態変化履歴データベース７に記憶された状態変化履歴を参照し、被監視対象部２で異常が発生し、短時間で正常状態に復帰した場合等の監視制御システムの運用管理上注視すべき項目を抽出する。この抽出した項目を運用管理項目データベース１０へ送出する。
【００５３】
具体的には、運用管理項目自動登録手段９は、状態変化履歴データベース７を一定周期ごとに参照を行う。この際、前回参照を行った履歴データより後に登録された履歴データを全件参照とするようにする（ステップＳ１０２）。
【００５４】
各履歴データの中からポイントＩＤ２１と事象２３の組合せが、すでに運用管理項目として本登録されているポイントＩＤ３１と事象３２の組合せと一致するものを検索する（ステップＳ１０３）。ポイントＩＤと事象の組合せが一致する履歴データは、該当する運用管理項目の中に履歴ＩＤ３３として登録され、運用管理項目の経過履歴として参照が可能となる。
【００５５】
上記のように、短時間の間に異常状態から正常状態へ移行した被監視対象部２の注視すべき状態変化履歴を運用管理項目データベース１０に記憶させる。この注視すべき状態変化履歴は状態変化履歴データベース７に記憶された項目のうち、運用管理項目自動登録手段９により抽出された項目である。例えば、記憶するデータの構成例としては運用管理項目ＩＤ３０、ポイントＩＤ３１、事象３２、履歴ＩＤ３３等である。
【００５６】
本登録された運用管理項目のポイントＩＤ３１と事象３２の組合せに一致しない履歴データのうち、警報の復帰の履歴データについては、仮登録されている運用管理項目の中に同一のポイントＩＤ３２、事象３２の組み合わせを持つ警報の発生の履歴が存在するか比較を行う（ステップ１０３−ＮＯ、ステップＳ１０５―ＹＥＳ、ステップＳ１０６）。
【００５７】
対となる警報の発生の履歴が存在する場合、履歴データの履歴時刻２５から警報の発生から復帰までの時間を算出する（ステップ１０６−ＹＥＳ、ステップＳ１０７）。時間がＴ分より短い場合に警報の発生と復帰の履歴を運用管理項目として本登録する（ステップＳ１０８―ＹＥＳ、ステップＳ１０９）。時間がＴ分以上の場合は、警報の発生と復帰の履歴を運用管理項目から削除する（ステップＳ１０８−ＮＯ、ステップＳ１１０）。
【００５８】
さらに、本登録された運用管理項目のポイントＩＤ３１と事象３２の組合せに一致しない履歴データのうち、警報の発生の履歴データについては、運用管理項目として仮登録を行う（ステップ１０５−ＮＯ、ステップＳ１１１、ステップＳ１１２）。
【００５９】
仮登録された運用管理項目（警報の発生の履歴）は、運用管理項目自動登録手段９が状態変化履歴データ７を定周期的に参照する際に、同じ周期内か、次の参照周期内で取得された状態変化履歴の中に対となる（ポイントＩＤ２１と事象２３の組合せが一致する）警報の復帰の履歴が存在しない場合は、運用管理項目から削除される（ステップＳ１０６−ＮＯ、ステップＳ１１０）。
【００６０】
次に、運用管理項目表示設定手段１２は、運用管理項目データベース１０に記憶される状態変化履歴を参照し、モニター６へ送出する。また、操作入力装置１３を介してオペレーターにより運用管理上注視すべきとして選択された項目を設定（登録）する（ステップＳ１０３―ＹＥＳ、ステップＳ１０４）。
【００６１】
次に、運用管理項目処置設定手段１４は、運用管理項目データベース１０に記憶される運用管理上注視すべきとして選択された項目に操作入力装置１３によって入力された付加情報を設定する。例えば、図３に示すような各項目について処置を行う期限や、処置の内容についてのコメント、処置の状態値を、注視すべきと判断された項目に対して設定する。具体的に追加する情報の例を示すと、図３に示すように、登録状態３４、管理状態３５、処置状態３６、処置内容コメント３７、処置期限３８等の項目である（ステップＳ１１３）。
【００６２】
運用管理項目自動削除手段１１は、処置期限等を設定されずに一定期間を経過した運用管理項目データを削除する（ステップＳ１１４）。
【００６３】
運用管理項目警報設定手段１５は、運用管理項目データベース１０に記憶された項目であって、運用管理上注視すべきとして運用管理項目表示設定手段１２により注視すべきと設定されたにもかかわらず、運用管理項目処置設定手段１４により定められた処置期間を過ぎても処置がなされていない項目または処理の期限が迫った項目について抽出する（ステップＳ１１５）。
【００６４】
運用管理項目処置設定手段１４により定められた処置期間を過ぎても処置がなされていない項目について、運用管理項目警報検出手段１５は、警報通知手段４へ警報発報の要求を行う（ステップＳ１１６）。
【００６５】
以上、本実施形態によれば、監視制御システムの履歴データを自動的に検索し、短期間の警報発生と復帰の現象を運用管理上注視すべき項目として自動登録することで、オペレーターの監視作業を簡易化することができる。また、登録した項目の処置の内容や処置を行なう期限を登録管理することで、複数のオペレーター間の情報の共有化により、監視制御を行っている施設の保守・点検の運営作業の効率化が可能となる。
【００６６】
なお本発明は、発明の要旨を逸脱しない範囲において、上述した実施形態を適宜設計変更することが可能であり、必要に応じて実施形態を適宜組み合わせても良い。
【符号の説明】
【００６７】
１  …  監視制御システム
２  …  被監視対象部
３  …  状態変化検出手段
４  …  警報通知手段
５  …  警報鳴動装置
６  …  モニター
７  …  状態変化履歴データベース
８  …  履歴表示設定手段
９  …  運用管理項目自動登録手段
１０  …  運用管理項目データベース
１１  …  運用管理項目自動削除手段
１２  …  運用管理項目表示設定手段
１３  …  操作入力装置
１４  …  運用管理項目処置設定手段
１５  …  運用管理項目警報検出手段
１６  …  運用管理支援装置部
【図１】
2011204029.tif 000003
【図２】
2011204029.tif 000004
【図３】
2011204029.tif 000005
【図４】
2011204029.tif 000006